(57)【要約】【課題】外箱の小形化ひいては全体の小形化もしくは水槽の大形化ひいては回転槽の大形化を実現しつつ、水槽の横方向の振動の低減ができる洗濯機を提供する。【解決手段】水槽を外箱の内部で主として上下方向に緩衝支持するサスペンション７により、水槽の上下方向（縦方向）の振動を減衰し、サスペンションの外側に囲い壁４２とで挟んで装着した変形可能な容器４０内の粘性流体４１により、水槽６の横方向の振動を減衰するようにした。【選択図】図１
2014147456.tif 000002
【特許請求の範囲】
【請求項１】
外箱と、
この外箱の内部に位置する水槽と、
この水槽の内部に位置して回転駆動される回転槽と、
前記水槽を前記外箱の内部で主として上下方向に緩衝支持するサスペンションとを具備する洗濯機において、
前記サスペンションの外周に、粘性流体を封入した変形可能な容器を装着し、この容器の外側に該容器の動きを抑制する抑制部材を設けたことを特徴とする洗濯機。
【請求項２】
容器が、内面に凹凸部を有することを特徴とする請求項１記載の洗濯機。
【請求項３】
容器が、内部に狭窄部を有することを特徴とする請求項１又は２記載の洗濯機。
【請求項４】
容器が、周壁に蛇腹部を有することを特徴とする請求項１から３のいずれか一項記載の洗濯機。
【請求項５】
抑制部材が、内部に凹凸部を有することを特徴とする請求項１から４のいずれか一項記載の洗濯機。
【請求項６】
抑制部材が、内部に狭窄部を有することを特徴とする請求項１から５のいずれか一項記載の洗濯機。
【請求項７】
容器が、サスペンションの上下方向可動部と結合されていることを特徴とする請求項１から６のいずれか一項記載の洗濯機。
【請求項８】
サスペンションが、上下方向の振動減衰手段を有しないようにしたことを特徴とする請求項７記載の洗濯機。
【発明の詳細な説明】
【技術分野】
【０００１】
本発明の実施形態は洗濯機に関する。
【背景技術】
【０００２】
従来より、洗濯機、中でもドラム式洗濯機においては、外箱の内部に水槽が位置し、この水槽の内部に回転槽であるドラムが位置していて、このドラムが水槽外のモータにより回転駆動されるようになっている。又、水槽は、外箱の内部でサスペンションにより支持されている（例えば特許文献１参照）。
この洗濯機におけるサスペンションは、重量の大きな水槽を支持するために、軸方向がほゞ上下方向となるように設置されており、その上下方向に緩衝機能を果たすようになっている。すなわち、洗濯機におけるサスペンションは、水槽の主として上下方向の振動に対して有効に機能するようになっている。
【０００３】
しかしながら、水槽は、ドラムが収容した洗濯物の偏在を因とした偏荷重により左右、前後など横方向にも振れることに伴い、横方向にも振動するものであり、この水槽の横方向の振動に対して、上記サスペンションは有効には機能し得ないものであった。
このため、一般的には水槽とこれの横方向に存在する外箱側面板部との間には水槽の振幅以上の間隔をあけることにより、外箱側面板部に対する水槽の衝突を避けるようにしている。しかしながら、このものでは、外箱が大形化して全体の大形化を招来し、もしくは水槽が小形化ひいてはドラムが小形化して洗濯容量の低下を招来していた。
【０００４】
これに対して、水槽と外箱側面板部との間に振動吸収部材を介在させて、水槽の横方向の振動を低減するようにする考えがある（例えば特許文献２参照）。
【先行技術文献】
【特許文献】
【０００５】
【特許文献１】特開２００５−２４５５７７号公報
【特許文献２】特開２０１２−１９２０９６号公報
【発明の概要】
【発明が解決しようとする課題】
【０００６】
上述のように考えられたものの場合、振動吸収部材で水槽の横方向の振動を低減するのであるが、その振動吸収部材を水槽と外箱側面板部との間に介在させる構成のため、外箱の小形化ひいては全体の小形化を実現するのが困難であり、水槽の大形化ひいてはドラムの大形化を実現するのも困難である。更に、低減しても振動吸収部材を介して伝わる振動によるたわみや変形を惹起しないように外箱側面板部を補強する必要があり、補強材の追加や板厚の増加などで、外箱の小形化ひいては全体の小形化を実現するのが一層困難である。
【０００７】
そこで、外箱の小形化ひいては全体の小形化もしくは水槽の大形化ひいては回転槽の大形化を実現しつつ、水槽の横方向の振動の低減ができる洗濯機を提供する。
【課題を解決するための手段】
【０００８】
本実施形態の洗濯機は、外箱と、この外箱の内部に位置する水槽と、この水槽の内部に位置して回転駆動される回転槽と、前記水槽を前記外箱の内部で主として上下方向に緩衝支持するサスペンションとを具備するものにおいて、前記サスペンションの外周に、粘性流体を封入した変形可能な容器を装着し、この容器の外側に該容器の動きを抑制する抑制部材を設けたことを特徴とする。
【図面の簡単な説明】
【０００９】
【図１】第１の実施形態を示す主要部分の縦断面図
【図２】容器及び粘性流体の縦断面図
【図３】図２のIII−III線に沿う容器及び粘性流体の横断面図
【図４】囲い壁（抑制部材）の縦断面図
【図５】図４のV−V線に沿う囲い壁の横断面図
【図６】洗濯機全体の、一部を破断した縦断側面図
【図７】サスペンション単体の縦断面図
【図８】第２の実施形態を示す図２相当図
【図９】第３の実施形態を示す図２相当図
【図１０】図９のX−X線に沿う容器及び粘性流体の横断面図
【図１１】第４の実施形態を示す図２相当図
【図１２】第５の実施形態を示す図２相当図
【図１３】第６の実施形態を示す図２相当図
【図１４】第７の実施形態を示す図５相当図
【図１５】第８の実施形態を示す図４相当図
【図１６】第９の実施形態を示す図４相当図
【図１７】第１０の実施形態を示す図１相当図
【発明を実施するための形態】
【００１０】
以下、ドラム式洗濯乾燥機に適用し第１の実施形態につき、図１から図７を参照して説明する。
まず、図６には、ドラム式洗濯乾燥機の全体構造を示しており、外箱１を外殻としている。この外箱１は、最下部に台板１ａを有しており、この台板１ａの外下面に複数の脚１ｂを有している。外箱１の前側板部（図３で右側）のほゞ中央部には、洗濯物出入口２を有しており、該出入口２に対しては、それを開閉する扉３を設けている。又、外箱１の前側板部の上部には、操作パネル４を設けており、その裏側（外箱１内）に運転制御用の制御装置５を設けている。
【００１１】
外箱１の内部には、水槽６を配設している。この水槽６は軸方向が前後（図３で右左）の横軸円筒状を成すものであり、それを外箱１の台板１ａ上に、左右一対（左側の一方のみ図示）のサスペンション７によって前上がりの傾斜状にて弾性支持している。サスペンション７の詳細構造は、後に述べる。
水槽６の背部にはモータ８を取付けている。このモータ８は、この場合、例えば直流のブラシレスモータであって、アウターロータ形であり、ロータ８ａの中心部に取付けた回転軸（図示省略）を、水槽６の後部に取付けた軸受ハウジング９を介して水槽６の内部に挿入している。
【００１２】
水槽６の内部には、ドラム１０を配設している。このドラム１０も軸方向が前後の横軸円筒状を成すもので、それを後部の中心部で上記モータ８の回転軸の先端部に取付けることにより、水槽６と同軸の前上がりの傾斜状に支持している。又、その結果、ドラム１０はモータ８により回転されるようになっており、従って、ドラム１０は回転槽であり、モータ８はドラム１０を回転させるドラム駆動装置として機能するようになっている。
【００１３】
ドラム１０の周側部（胴部）には、小孔１１を全域にわたって多数（一部のみ図示）形成している。又、ドラム１０及び水槽６は、ともに前面部に開口部１２，１３を有しており、そのうちの水槽６の開口部１３に、環状のベローズ１４を介して前記洗濯物出入口２を連ねている。この結果、洗濯物出入口２は、ベローズ１４、水槽６の開口部１３、及びドラム１０の開口部１２を介して、ドラム１０の内部に連なっている。
【００１４】
水槽６の最低部である底部の後部には、排水弁１５を介して、排水管１６を接続している。又、水槽６の背部から上方そして前方には、乾燥ユニット１７を配設している。この乾燥ユニット１７は、除湿器１８と、送風装置１９、及び加熱装置２０を有しており、水槽６内の空気を除湿し、次いで加熱して、水槽６内に戻す循環を行わしめることにより、洗濯物を乾燥させるようになっている。
【００１５】
ここで、サスペンション７の詳細構造を述べる。サスペンション７は、図７に示すように、大別すると、ダンパ２１とスプリング２２とで構成しており、そのうちのダンパ２１は、シャフト２３とシリンダ２４とを具えている。シリンダ２４は、主として、外筒２４ａ及び内筒２４ｂと、外筒２４ａの軸方向（上下）両端の開口部を閉塞するキャップ２４ｃ，２４ｄ、及び内筒２４ｂの同じく軸方向両端の開口部を閉塞するシール２４ｅ，２４ｆから成っている。
【００１６】
シャフト２３の下端部にはピストンバルブ２５を取付けており、このピストンバルブ２５と共にシャフト２３の下部を内筒２４ｂ内に軸方向移動可能に挿入し、該シャフト２３のピストンバルブ２５上の部分を、シール２４ｅ、軸受２６、及びキャップ２４ｃを通してシリンダ２４外の上方に突出させている。ピストンバルブ２５は、外周面が内筒２４ｂの内周面に密接するものであり、その外周面近くに、軸方向に開通するオリフィス孔２５ａを複数有している。
【００１７】
シリンダ２４の内筒２４ｂ内には、ピストンバルブ２５の上下両方に粘性流体であるオイル２７を充填しており、すなわち、本実施形態のダンパ２１は、オイルダンパであって、オイル２７は、オリフィス孔２５ａ内にも充填している。
前記シリンダ２４外の上方に突出したシャフト２３の上端近くの部分にはばね受け座２８を取付け、このばね受け座２８とシリンダ２４の下端部との間に前記スプリング（圧縮コイルばね）２２を介在させている。
以上により、サスペンション７を組立て構成している。
【００１８】
シャフト２３は、上端部に取付部２３ａを有しており、この取付部２３ａを、図６及び図１に示すように、前記水槽６が有する取付部６ａに複数のねじ２９で取付けた取付板３０に、上下の防振クッション３１，３２を介し挿通した上で、その上方突出端部にナット３３をワッシャ３３ａを介し螺合して締付けることにより、シャフト２３を取付板３０に取付け、ひいては水槽６に取付けている。
【００１９】
シリンダ２４の下端部には、図７に示す取付部材３４を設けており、この取付部材３４を、図６及び図１に示すように、前記台板１ａに複数のねじ３５で取付けた取付板３６に、上下の防振クッション３７，３８を介し挿通した上で、その下方突出端部にナット３９をワッシャ３９ａを介し螺合して締付けることにより、シリンダ２４を取付板３６に取付け、ひいては台板１ａに取付けている。
このようにして水槽６を外箱１の台板１ａ上にサスペンション７を介在させて取付けており、そのサスペンション７により水槽６を外箱１の内部で主として上下方向に緩衝支持するようにしている。
【００２０】
そして、取付板３６上に位置してサスペンション７、特にはそれのシリンダ２４の下部及び防振クッション３７の外周には、その全周を囲繞する容器４０を装着している。この容器４０は、図２及び図３にも示すようにリング状の袋であり、その材質は例えばＥＰＤＭ（エチレン−プロピレン−ジエンゴム）や、ＮＢＲ（ニトリル−ブタジエンゴム）、ブチルゴム等であって変形可能、特に横方向に変形可能なものであり、その内部には例えばシリコンオイルから成る粘性流体４１を充填して封入している。
【００２１】
更に、取付板３６上に位置して容器４０の外側には、その全周を囲繞する囲い壁４２を装着している。この囲い壁４２は、図４及び図５に示すように中実のリング状のものであり、その材質は例えば金属材料や樹脂材料であって、高い剛性を有しており、取付板３６に複数のねじ４３により固着していて、容器４０の動きを抑制する抑制部材として機能するようになっている。
【００２２】
次に、上記構成のものの作用を述べる。
上記構成のドラム式洗濯乾燥機においては、操作パネル４の操作に基づき、制御装置５が運転を開始させると、標準的には洗濯、脱水、及び乾燥が行われる。
そのうち、洗濯は、図示しない給水弁から水槽６内への所定水位の給水が行われた後に、ドラム１０がモータ８により正逆両方向に交互に低速回転されることにより行われるもので、それにより、ドラム１０内にあらかじめ収容された洗濯物が上昇されてから落下されること（タンブリング）が繰返されて撹拌され、洗浄される。
【００２３】
洗濯物の洗濯には、洗剤を含む水で洗浄する洗いと、清水で洗浄するすすぎとがあり、そのいずれの場合にも、上述の運転が行われ、それらの終了後には、排水弁１５が開放されて水槽６内の水を排水管１６を通じ機外に排出する排水が行われる。
次いで、脱水は、排水弁１５を開放させたまま、ドラム１０がモータ８により一方向に高速回転されることにより行われるもので、それにより、ドラム１０内の洗濯後の洗濯物が小孔１１を通して遠心脱水される。
【００２４】
そして、乾燥は、ドラム１０がモータ８により正逆両方向に交互に低速回転されると同時に、乾燥ユニット１７が作動されることにより行われるもので、乾燥ユニット１７では、前述のように、水槽６内の空気が、送風装置１９で循環される状況で、除湿器１８で除湿され、次いで加熱装置２０で加熱されて、水槽６内に戻されることを繰返すことにより、ドラム１０内の脱水後の洗濯物が乾燥される。
【００２５】
このようなドラム式洗濯乾燥機の運転の中で、ドラム１０が回転されるときには、該ドラム１０が振動し、中でもドラム１０が高速回転される脱水時に大きく振動する。更にその場合、ドラム１０内の洗濯物に偏在があれば、ドラム１０は偏荷重のために一層大きく振動する。このようにドラム１０が振動すると、ドラム１０を収容して該ドラム１０と一体化した水槽６も振動する。
【００２６】
ドラム１０及び水槽６の振動、中でも上下方向の振動に対しては、水槽６と一体にサスペンション７のシャフト２３がスプリング２２を伸縮させつつ軸方向の上下に往復動する。このシャフト２３の往復動に伴い、シリンダ２４内では、オイル２７中をピストンバルブ２５が相対的に上下に往復動し、それにより、ピストンバルブ２５のオリフィス孔２５ａをオイル２７が通過する。ここで、オイル２７の粘性により、サスペンション７において減衰力が発生し、水槽６の振幅を減衰させる。
【００２７】
一方、ドラム１０及び水槽６の横方向の振動に対しては、それと共にサスペンション７が防振クッション３７を伴って横方向に振動しようとするが、その振動により、シリンダ２４の下部及び防振クッション３７の外周に装着した変形可能な容器４０を囲い壁４２との間で圧縮と膨張を伴い変形させつつ、粘性流体４１が圧せられ、それに抗する粘性流体４１の粘性で減衰力が発生し、水槽６の振幅を減衰させる。
【００２８】
このように上記構成のものでは、水槽６を外箱１の内部で主として上下方向に緩衝支持するサスペンション７により、水槽６の上下方向（縦方向）の振動を減衰し、サスペンション７の外周に囲い壁４２とで挟んで装着した変形可能な容器４０内の粘性流体４１により、水槽６の横方向の振動を減衰するもので、特に横方向の振動を減衰するのに、従来考えられたもののような振動吸収部材を水槽と外箱側面板部との間に介在させて実現する構成ではない。
【００２９】
よって、その振動吸収部材を使用しない分、外箱１の小形化ひいては全体の小形化を実現することができ、もしくは水槽６の大形化ひいてはドラム１０の大形化を実現することができて、洗濯容量の増加を実現することができる。更に、変形可能な容器４０並びに該容器４０に封入した粘性流体４１は、従来の振動吸収部材に比して弾発力が小さく、その分、外箱１を補強する必要もない。よって、外箱１の小形化ひいては全体の小形化を実現するのが一層確実にできる。
【００３０】
以上に対して、図８から図１７は第２から第１０の実施形態を示すもので、それぞれ、第１の実施形態と同一の部分には同一の符号を付して説明を省略し、異なる部分についてのみ述べる。
【００３１】
［第２の実施形態］
図８に示す第２の実施形態においては、容器４０の内部に凹凸部４０ａを設けている。具体的には、この場合、容器４０の内側壁の内面と外側壁の内面とに凹凸部４０ａを互い違いの配置で設け、更に容器４０の上壁の内面と下壁の内面とに凹凸部４０ａを対向配置で設けている。
このように容器４０の内部に凹凸部４０ａを設けることで、粘性流体４１に対する容器４０の接触面積が増加し、サスペンション７の横方向の振動に対する粘性流体４１の粘性の効きが増して、水槽６の振幅をより効果的に減衰できるようになる。
【００３２】
［第３の実施形態］
図９及び図１０に示す第３の実施形態においても、容器４０の内部に凹凸部４０ｂを設けている。これも具体的には、容器４０の上壁の内面と下壁の内面とから、ともに内側壁の内面及び外側壁の内面に連接させて複数の凸部４０ｃを放射状に設けることにより、凹凸部４０ｂを設けている。
このように容器４０の内部に凹凸部４０ｂを設けることで、粘性流体４１に対する容器４０の接触面積が増加するのに加えて、上下の凹凸部４０ｂ間を粘性流体４１が通過する際の抵抗が増大するため、上記第２の実施形態以上の作用効果を得ることができる。
【００３３】
［第４の実施形態］
図１１に示す第４の実施形態においては、容器４０の内部に狭窄部４０ｄを設けている。これも具体的には、容器４０の内側壁の内面の中間部と外側壁の内面の中間部とに、それぞれ、凸部４０ｅを対向配置で全周にわたる環状に設けることで、その両凸部４０ｅ間を狭窄部４０ｄとしている。
【００３４】
このように容器４０の内部に狭窄部４０ｄを設けることで、サスペンション７が横方向に振動しようとしたとき、容器４０を変形させるのに伴って圧せられる粘性流体４１が狭窄部４０ｄを通過することで抵抗が生じ、その抵抗で水槽６の振幅をより効果的に減衰できるようになる。
【００３５】
［第５の実施形態］
図１２に示す第５の実施形態においては、容器４０の周壁に蛇腹部４０ｆを設けている。これも具体的には、容器４０の上壁と下壁とをともに波状に形成することによって、それら上壁及び下壁に蛇腹部４０ｆを設けている。
このように容器４０の周壁に蛇腹部４０ｆを設けることで、サスペンション７が横方向に振動しようとしたときの容器４０の変形を円滑にして、容器４０の破損を防止できるなど、製品としての信頼性を向上することができる。
【００３６】
［第６の実施形態］
図１３に示す第６の実施形態においても、容器４０の周壁に蛇腹部４０ｇを設けている。これも具体的には、容器４０の内側壁と外側壁とをともに波状に形成することによって、それら内側壁及び外側壁に蛇腹部４０ｇを設けている。
このように容器４０の周壁に蛇腹部４０ｇを設けても、上記第５の実施形態と同様の作用効果を得ることができる。
【００３７】
［第７の実施形態］
図１４に示す第７の実施形態においては、囲い壁４２（抑制部材）の内部に凹凸部４２ａを設けている。これも具体的には、囲い壁４２の内面に周方向に列させて凹凸部４２ａを設けている。
【００３８】
このように囲い壁４２の内部に凹凸部４２ａを設けることで、サスペンション７が横方向に振動しようとしたとき、変形可能な容器４０、特にこれの外壁が囲い壁４２の凹凸部４２ａに添って凹凸状に変形し、その結果、粘性流体４１に対する容器４０の接触面積が増加して、サスペンション７の横方向の振動に対する粘性流体４１の粘性の効きが増すことにより、水槽６の振幅をより効果的に減衰できるようになる。
【００３９】
［第８の実施形態］
図１５に示す第８の実施形態においても、囲い壁４２の内部に凹凸部４２ｂを設けている。これも具体的には、囲い壁４２の内面に軸方向に列させて凹凸部４２ｂを設けている。
このように囲い壁４２の内部に凹凸部４２ｂを設けても、上記第７の実施形態と同様の作用効果を得ることができる。
【００４０】
［第９の実施形態］
図１６に示す第９の実施形態においては、囲い壁４２の内部に狭窄部４２ｃを設けている。これも具体的には、囲い壁４２の内側壁の内面の中間部に凸部４２ｄを全周にわたる環状に設けることで、その両凸部４２ｄの突端内を狭窄部４２ｃとしている。
【００４１】
このように囲い壁４２の内部に狭窄部４２ｃを設けることで、サスペンション７が横方向に振動しようとしたとき、変形可能な容器４０、特にこれの外壁が囲い壁４２の狭窄部４２ｃに添って変形し、容器４０の内部に狭窄部が生じるので、粘性流体４１が容器４０の狭窄部を通過することで抵抗が生じ、その抵抗で水槽６の振幅をより効果的に減衰できるようになる。
【００４２】
［第１０の実施形態］
図１７に示す第１０の実施形態においては、容器４０を、サスペンション７の上下方向可動部と結合している。
【００４３】
これも具体的には、まず、サスペンション７を第１の実施形態とは上下を逆にして設けており、すなわち、シリンダ２４の取付部材３４を水槽６の取付板３０に取付け、シャフト２３の取付部２３ａを台板１ａの取付板３６に取付けている。この場合のサスペンション７における上下方向可動部はシリンダ２４であり、このシリンダ２４の上下方向の中間部と下端部にそれぞれフランジ２４ｇ，２４ｈを設け、この両フランジ２４ｇ，２４ｈで容器４０を挟み付けることにより、容器４０を、サスペンション７の上下方向可動部と結合している。
【００４４】
このようにすることにより、サスペンション７ひいては水槽６の横方向の振動ばかりでなく上下方向の振動に対しても粘性流体４１の粘性が抵抗として効くことにより、水槽６の振幅をより効果的に減衰できるようになる。
なお、この場合、サスペンション７を第１の実施形態とは上下を逆にして設けたことで容器４０が第１の実施形態より上方に位置することにより、容器４０を囲繞する囲い壁４２´には、囲い壁４２より軸方向に長いものを使用している。
【００４５】
又、この場合、サスペンション７ひいては水槽６の上下方向の振動に対しての減衰力を粘性流体４１の粘性で得られるレベルで済ませるのなら、サスペンション７が上下方向の振動減衰手段を有しないようにすると良い。その手段は、ダンパ２１の、シリンダ２４内のオイル２７を廃止するとか、そのほかの、上下方向の摺動に抵抗する摩擦部材等を設けないことである。
【００４６】
このようにすることにより、サスペンション７ひいては水槽６の上下方向の振動に対して減衰力がダンパ２１と容器４０内の粘性流体４１とで過度に働くのを回避することができる。又、サスペンション７が上下方向の振動減衰手段を有しないようにすることにより、コストの低減ができる。
【００４７】
以上説明した洗濯機は、上記実施形態にのみ限定されるものではなく、特に上記第１の実施形態から第１０の実施形態は適宜組合わせて実施するようにしても良いし、洗濯機全体としても、ドラム式には限られず、水槽と回転槽を縦軸状に有する縦軸形洗濯機にも同様に適用して実施できる。又、乾燥機能を有していなくでも良いなど、要旨を逸脱しない範囲内で適宜変更して実施し得る。
【００４８】
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４９】
図面中、１は外箱、６は水槽、７はサスペンション、８はモータ、１０はドラム（回転槽）、２４はシリンダ（上下方向可動部）、４０は容器、４０ａ、４０ｂは凹凸部、４０ｄは狭窄部、４０ｆ，４０ｇは蛇腹部、４１は粘性流体、４２は囲い壁（抑制部材）、４２ａ，４２ｂは凹凸部、４２ｃは狭窄部を示す。
【図１】
2014147456.tif 000003
【図２】
2014147456.tif 000004
【図３】
2014147456.tif 000005
【図４】
2014147456.tif 000006
【図５】
2014147456.tif 000007
【図６】
2014147456.tif 000008
【図７】
2014147456.tif 000009
【図８】
2014147456.tif 000010
【図９】
2014147456.tif 000011
【図１０】
2014147456.tif 000012
【図１１】
2014147456.tif 000013
【図１２】
2014147456.tif 000014
【図１３】
2014147456.tif 000015
【図１４】
2014147456.tif 000016
【図１５】
2014147456.tif 000017
【図１６】
2014147456.tif 000018
【図１７】
2014147456.tif 000019